(57)【要約】【課題】簡単な操作で、迅速かつ適正に、幼児を安全ベルトで椅子本体に拘束することが可能な同乗者用椅子を提供する。【解決手段】椅子本体１０と、着座した同乗者の身体を椅子本体１０に拘束する安全ベルト１１とを有し、椅子本体１０は着座部１４と背もたれ部１５と第１係合部材２１とを有し、安全ベルト１１に、第１係合部材２１に係脱自在な第２係合部材２８ａが設けられ、安全ベルト１１の巻取り送出し装置３９が椅子本体１０に設けられ、巻取り送出し装置３９は、安全ベルト１１を巻取りおよび送り出し方向においてロックするロック手段４１と、安全ベルト１１のロックおよびロック解除を切り換える操作部材４２とを有し、操作部材４２がロック位置に切り換えられると、安全ベルト１１がロックされ、操作部材４２がロック解除位置に切り換えられると、安全ベルト１１のロックが解除される。【選択図】図８
2018114817.tif 000002
【特許請求の範囲】
【請求項１】
自転車に取り付け可能な同乗者用の椅子であって、
椅子本体と、着座した同乗者の身体を椅子本体に拘束する安全ベルトとを有し、
椅子本体は背もたれ部と着座部と第１係合部材とを有し、
安全ベルトに、第１係合部材に係脱自在な第２係合部材が設けられ、
安全ベルトを巻取りおよび送り出す巻取り送出し装置が椅子本体に設けられ、
巻取り送出し装置は、安全ベルトを巻取および送出方向においてロックするロック手段と、安全ベルトのロックおよびロック解除を切り換える操作部材とを有し、
操作部材がロック位置に切り換えられると、安全ベルトがロックされ、
操作部材がロック解除位置に切り換えられると、安全ベルトのロックが解除されることを特徴とする同乗者用椅子。
【請求項２】
巻取り送出し装置は、安全ベルトを巻き取る巻取方向と送り出す送出方向とに正逆回転自在な巻取部材と、巻取部材を巻取方向に付勢する第１付勢手段と、操作部材をロック解除位置からロック位置の方向へ付勢する第２付勢手段とを有し、
操作部材がロック位置に切り換えられると、ロック手段が巻取部材の回転をロックし、
操作部材が第２付勢手段の付勢力に抗してロック解除位置に切り換えられると、ロック手段による巻取部材のロックが解除されることを特徴とする請求項１記載の同乗者用椅子。
【請求項３】
巻取り送出し装置は背もたれ部の背面側に設けられており、
操作部材は、ロック位置から後方へ操作されることによって、ロック解除位置に切り換えられることを特徴とする請求項２記載の同乗者用椅子。
【請求項４】
巻取り送出し装置は背もたれ部の背面側に設けられており、
操作部材は、ロック位置から後方斜め下向きへ操作されることによって、ロック解除位置に切り換えられることを特徴とする請求項２記載の同乗者用椅子。
【請求項５】
巻取り送出し装置は巻取部材と第１および第２付勢手段とを内蔵するハウジングを有し、
背もたれ部の背面側に保持ケースが設けられ、
巻取り送出し装置は、ハウジングごと、保持ケース内に収納されていることを特徴とする請求項２から請求項４のいずれか１項に記載の同乗者用椅子。
【請求項６】
ハウジングの下部と保持ケースの下部とに、ハウジング内に侵入した水を外部へ排出するための水抜き孔が形成されていることを特徴とする請求項５記載の同乗者用椅子。
【請求項７】
上記請求項１から請求項６のいずれか１項に記載の同乗者用椅子を取り付けたことを特徴とする自転車。
【請求項８】
同乗者用椅子は車体の後部に取り付けられ、
車体の後部に両足型のスタンドが設けられ、
スタンドは直立位置と跳ね上げ位置とに回動自在であることを特徴とする請求項７記載の自転車。
【発明の詳細な説明】
【技術分野】
【０００１】
本発明は、自転車に取り付けられる同乗者用椅子および自転車に関する。
【背景技術】
【０００２】
従来、この種の同乗者用椅子としては、例えば、図１２に示すように、自転車の後部に設けられたチャイルドシート１０１がある。チャイルドシート１０１は、椅子本体１０２と、着座した幼児の身体を椅子本体１０２に拘束する三点式の安全ベルト１０３とを有している。
【０００３】
椅子本体１０２は着座部１０４と背もたれ部１０５と足載せ部１０６とを有している。また、安全ベルト１０３は、背もたれ部１０５の上部の左右両端部に取り付けられたベルト１０７と、着座部１０４の前端に設けられた止めベルト１０８と、ベルト１０７に設けられた雄型バックル１０９と、止めベルト１０８に設けられた雌型バックル１１０と、ベルト１０７の長さを調節する止めバックル１１１とを有している。尚、雄型バックル１０９は雌型バックル１１０に係脱自在である。
【０００４】
これによると、幼児をチャイルドシート１０１に載せる際、雄型バックル１０９を雌型バックル１１０から離脱した状態で、ベルト１０７を背もたれ部１０５の後方へ退避させておき、その後、幼児を着座部１０４に座らせ、背中を背もたれ部１０５にもたれさせる。
【０００５】
次に、退避させたベルト１０７を背もたれ部１０５の前方に戻し、雄型バックル１０９を雌型バックル１１０に係合する。これにより、幼児の身体が安全ベルト１０３によって椅子本体１０２に拘束され、自転車の走行中に急ブレーキを作動しても、幼児の身体が前方へ倒れ込むのを防止することができ、幼児の安全性が確保される。
【０００６】
尚、上記のような自転車用のチャイルドシートは例えば下記特許文献１に記載されている。
【先行技術文献】
【特許文献】
【０００７】
【特許文献１】特開２００２−５９８７９
【発明の概要】
【発明が解決しようとする課題】
【０００８】
しかしながら上記の従来形式では、体格の異なった幼児をチャイルドシート１０１に乗せて安全ベルト１０３で拘束する場合、例えば、小柄な幼児では安全ベルト１０３が弛んだり、或いは、大柄な幼児では安全ベルト１０３がきつくなり過ぎることがあり、安全ベルト１０３を幼児の身体に適正にフィットさせるために、幼児の体格に応じて、頻繁に、止めバックル１１１でベルト１０７の長さを調節する必要があり、安全ベルト１０３で幼児を適正に拘束する操作に手間を要するといった問題がある。
【０００９】
本発明は、簡単な操作で、迅速かつ適正に、幼児を安全ベルトで椅子本体に拘束することが可能な同乗者用椅子および自転車を提供することを目的とする。
【課題を解決するための手段】
【００１０】
上記目的を達成するために、本第１発明は、自転車に取り付け可能な同乗者用の椅子であって、
椅子本体と、着座した同乗者の身体を椅子本体に拘束する安全ベルトとを有し、
椅子本体は背もたれ部と着座部と第１係合部材とを有し、
安全ベルトに、第１係合部材に係脱自在な第２係合部材が設けられ、
安全ベルトを巻取りおよび送り出す巻取り送出し装置が椅子本体に設けられ、
巻取り送出し装置は、安全ベルトを巻取および送出方向においてロックするロック手段と、安全ベルトのロックおよびロック解除を切り換える操作部材とを有し、
操作部材がロック位置に切り換えられると、安全ベルトがロックされ、
操作部材がロック解除位置に切り換えられると、安全ベルトのロックが解除されるものである。
【００１１】
これによると、運転者は、同乗者用の椅子に幼児を乗せる際、先ず、安全ベルトの第２係合部材を第１係合部材から離脱させ、幼児を椅子本体の着座部に座らせて背もたれ部にもたれさせ、安全ベルトの第２係合部材を第１係合部材に係合させる。この際、運転者が操作部材をロック解除位置に切り換えることにより、安全ベルトのロックが解除され、運転者は、安全ベルトを巻取り送出し装置から引き出したり或いは安全ベルトを巻取り送出し装置で巻き取ることで、幼児の体格に応じて安全ベルトの長さを調節することができる。
【００１２】
その後、運転者が操作部材をロック位置に切り換えることにより、安全ベルトが巻取および送出方向においてロックされる。これにより、容易に安全ベルトを幼児の身体に適正にフィットさせることができ、迅速に安全ベルトで幼児を適正に拘束することができる。
【００１３】
尚、自転車の走行中に急ブレーキを作動しても、安全ベルトが巻取および送出方向においてロックされているため、安全ベルトが巻取り送出し装置から送り出されることはなく、幼児の身体が椅子本体の前方へ倒れ込むのを確実に防止することができ、幼児の安全性が確保される。
【００１４】
本第２発明における同乗者用椅子は、巻取り送出し装置は、安全ベルトを巻き取る巻取方向と送り出す送出方向とに正逆回転自在な巻取部材と、巻取部材を巻取方向に付勢する第１付勢手段と、操作部材をロック解除位置からロック位置の方向へ付勢する第２付勢手段とを有し、
操作部材がロック位置に切り換えられると、ロック手段が巻取部材の回転をロックし、
操作部材が第２付勢手段の付勢力に抗してロック解除位置に切り換えられると、ロック手段による巻取部材のロックが解除されるものである。
【００１５】
これによると、運転者が第２付勢手段の付勢力に抗して操作部材をロック解除位置に切り換えることにより、ロック手段による巻取部材のロックが解除され、巻取部材が回転自在となる。これにより、運転者が安全ベルトを巻取り送出し装置から引き出したり或いは安全ベルトを巻取り送出し装置で巻き取ることで、幼児の体格に応じて安全ベルトの長さを調節すことができる。
【００１６】
その後、運転者が操作部材から手を離すことにより、操作部材が第２付勢手段の付勢力によってロック位置に切り換えられるため、ロック手段が巻取部材の回転をロックし、安全ベルトが巻取および送出方向においてロックされる。
【００１７】
このように、運転者が操作部材をロック解除位置に切り換えて安全ベルトの長さを調節した後、運転者が操作部材から手を離すことにより、操作部材が第２付勢手段の付勢力によって自動的にロック位置に切り換えられるため、運転者が操作部材をロック位置に切り換える操作を忘れた場合でも、確実に、安全ベルトが巻取および送出方向においてロックされるので、安全性が向上する。
【００１８】
本第３発明における同乗者用椅子は、巻取り送出し装置は背もたれ部の背面側に設けられており、
操作部材は、ロック位置から後方へ操作されることによって、ロック解除位置に切り換えられるものである。
【００１９】
これによると、巻取り送出し装置は背もたれ部の背面側に設けられているため、椅子本体に座った幼児の手が背後にある巻取り送出し装置の操作部材に届くことはなく、幼児が操作部材を誤操作するのを防止することができる。
【００２０】
また、車体の後部に両足型のスタンドを有する自転車を停めて、スタンドを直立位置に回動した状態で、運転者が、第２付勢手段の付勢力に抗して、操作部材をロック解除位置に切り換える際、操作部材をロック位置から後方へ操作するため、車体の後部に後向きの力が作用する。これにより、ロック解除位置への切り換え操作時に、自転車の車体後部が前方に押されることはなく、スタンドが不用意に直立位置から跳ね上げ位置に回動して自転車が倒れるといった不具合を防止することができる。
【００２１】
本第４発明における同乗者用椅子は、巻取り送出し装置は背もたれ部の背面側に設けられており、
操作部材は、ロック位置から後方斜め下向きへ操作されることによって、ロック解除位置に切り換えられるものである。
【００２２】
これによると、車体の後部に両足型のスタンドを有する自転車を停めて、スタンドを直立位置に回動した状態で、運転者が、第２付勢手段の付勢力に抗して、操作部材をロック解除位置に切り換える際、操作部材をロック位置から後方斜め下向きへ操作するため、車体の後部に後方斜め下向きの力が作用する。
【００２３】
この後方斜め下向きの力は後向きの力の成分と下向きの力の成分とを有するため、ロック解除位置への切り換え操作時に、自転車の車体後部が前方に押されることはなく、スタンドが不用意に直立位置から跳ね上げ位置に回動して自転車が倒れるといった不具合を防止することができる。また、運転者（操作者）の体重を利用して操作部材をロック位置から後方斜め下向きへ操作することができるため、操作部材を容易にロック解除位置に切り換えることができる。
【００２４】
本第５発明における同乗者用椅子は、巻取り送出し装置は巻取部材と第１および第２付勢手段とを内蔵するハウジングを有し、
背もたれ部の背面側に保持ケースが設けられ、
巻取り送出し装置は、ハウジングごと、保持ケース内に収納されているものである。
【００２５】
本第６発明における同乗者用椅子は、ハウジングの下部と保持ケースの下部とに、ハウジング内に侵入した水を外部へ排出するための水抜き孔が形成されているものである。
【００２６】
これによると、雨水等の水が巻取り送出し装置の操作部材の取付部分等の隙間からハウジング内に侵入しても、水抜き孔を通って外部へ排出されるため、ハウジング内に水が溜まるのを防ぐことができる。
【００２７】
本第７発明は、上記第１発明から第６発明のいずれか１項に記載の同乗者用椅子を取り付けたことを特徴とする自転車である。
【００２８】
本第８発明における自転車は、同乗者用椅子は車体の後部に取り付けられ、
車体の後部に両足型のスタンドが設けられ、
スタンドは直立位置と跳ね上げ位置とに回動自在であるものである。
【００２９】
これによると、自転車を停めてスタンドを直立位置に回動した状態で、運転者が、第２付勢手段の付勢力に抗して、操作部材をロック解除位置に切り換える際、操作部材をロック位置から後方へ操作するため、車体の後部に後向きの力が作用する。これにより、ロック解除位置への切り換え操作時に、自転車の車体後部が前方に押されることはなく、スタンドが不用意に直立位置から跳ね上げ位置に回動して自転車が倒れるといった不具合を防止することができる。
【発明の効果】
【００３０】
以上のように本発明によると、運転者が操作部材をロック解除位置に切り換えることにより、安全ベルトのロックが解除され、運転者は、安全ベルトを巻取り送出し装置から引き出したり或いは安全ベルトを巻取り送出し装置で巻き取ることで、幼児の体格に応じて安全ベルトの長さを調節することができる。
【００３１】
その後、運転者が操作部材をロック位置に切り換えることにより、安全ベルトが巻取および送出方向においてロックされる。これにより、容易に安全ベルトを幼児の身体に適正にフィットさせることができるため、簡単な操作で、迅速かつ適正に、幼児を安全ベルトで椅子本体に拘束することができる。
【図面の簡単な説明】
【００３２】
【図１】本発明の実施の形態におけるチャイルドシートを備えた自転車の側面図である。
【図２】同、チャイルドシートの前側の斜視図である。
【図３】同、チャイルドシートの正面図である。
【図４】同、チャイルドシートの平面図である。
【図５】同、チャイルドシートの後側の斜視図である。
【図６】同、チャイルドシートの背面図である。
【図７】同、チャイルドシートの一部切欠き背面図である。
【図８】同、チャイルドシートの縦断面図である。
【図９】同、チャイルドシートの巻取り送出し装置の内部構造を示す図であり、操作部材がロック位置に切り換えられている状態を示す。
【図１０】図９におけるＸ−Ｘ矢視図である。
【図１１】同、チャイルドシートの巻取り送出し装置の内部構造を示す図であり、操作部材がロック解除位置に切り換えられている状態を示す。
【図１２】従来のチャイルドシートの斜視図である。
【発明を実施するための形態】
【００３３】
以下、本発明における実施の形態を、図面を参照して説明する。
【００３４】
図１に示すように、１は自転車であり、車体２の後部には、荷台３とスタンド４等が取り付けられている。荷台３には、幼児７（同乗者の一例）を同乗させるためのチャイルドシート５（椅子の一例）が取り付けられている。スタンド４は、直立位置Ａと跳ね上げ位置Ｂとに回動自在な両足型のものであり、チャイルドシート５の下方に位置している。
【００３５】
チャイルドシート５は、椅子本体１０と、着座した幼児７の身体を椅子本体１０に拘束する安全ベルト１１とを有している。
【００３６】
図２〜図６に示すように、椅子本体１０は、着座部１４と、背もたれ部１５と、左右一対の足載せ部１６と、左右一対のサイドガード部１７と、着座部１４から前方へ突出した固定ベース部１８と、ヘッドレスト１９と、取手部材２０（ハンドル）と、雌型バックル２１（第１係合部材の一例）とを有している。
【００３７】
背もたれ部１５は着座部１４の後部に立設され、足載せ部１６は着座部１４の下方に設けられ、サイドガード部１７は背もたれ部１５の左右両側部に設けられ、固定ベース部１８は着座部１４の前方に設けられて上向きに突出している。
【００３８】
図３の仮想線で示すように、ヘッドレスト１９は、背もたれ部１５の上部に、上下移動自在に設けられている。また、図４に示すように、取手部材２０は、両サイドガード部１７間に設けられ、一端部を中心に回動することによって開閉自在である。
【００３９】
固定ベース部１８は左右両足載せ部１６間に形成され、固定ベース部１８に立設された取付部材２３の上端に雌型バックル２１が取り付けられている。
【００４０】
図２〜図４および図６〜図８に示すように、安全ベルト１１は、ベルト本体部２５と、ベルト本体部２５から二股状に分岐して幼児の肩部を拘束する左右一対の肩掛けベルト２６ａ，２６ｂと、幼児の腰部を拘束する左右一対の腰部ベルト２７ａ，２７ｂと、雌型バックル２１に係脱自在な左右一対の雄型バックル２８ａ，２８ｂ（第２係合部材の一例）とを有している。尚、腰部ベルト２７ａ，２７ｂの基端部は背もたれ部１５に接続されている。
【００４１】
一方の雄型バックル２８ａは一方の肩掛けベルト２６ａの先端と一方の腰部ベルト２７ａの先端とに接続され、他方の雄型バックル２８ｂは他方の肩掛けベルト２６ｂの先端と他方の腰部ベルト２７ｂの先端とに接続されている。図３の実線で示すように、雄型バックル２８ａ，２８ｂを雌型バックル２１に差し込むことにより、雄型バックル２８ａ，２８ｂと雌型バックル２１とが係合する。また、雌型バックル２１に備えられている離脱ボタン３０を押すことによって、図３の仮想線で示すように、雄型バックル２８ａ，２８ｂが雌型バックル２１から離脱可能となる。
【００４２】
図４〜図８に示すように、背もたれ部１５は、背もたれ本体３３と、背もたれ本体３３の背面に設けられた収納ボックス３４とを有している。収納ボックス３４は上部に開口部３５を有し、雨合羽などの雨具や雑誌、新聞等を開口部３５から収納ボックス３４内に出し入れすることができる。
【００４３】
図６〜図８に示すように、背もたれ本体３３には左右一対の挿通口３６ａ，３６ｂが形成されており、安全ベルト１１の肩掛けベルト２６ａ，２６ｂが背もたれ部１５の手前側から挿通口３６ａ，３６ｂを通って背面側へ導き出されている。
【００４４】
背もたれ部１５の背面側には、安全ベルト１１のベルト本体部２５を巻取りおよび送り出す巻取り送出し装置３９が設けられている。
【００４５】
図８〜図１１に示すように、巻取り送出し装置３９は、巻取リール４０（巻取部材の一例）と、ロック手段４１と、操作部材４２と、巻取用スプリング４３（第１付勢手段の一例）と、圧縮コイルばね４４（第２付勢手段の一例）と、ハウジング４５とを有している。
【００４６】
巻取リール４０は、支軸４６を中心にして、ベルト本体部２５を巻き取る巻取方向Ｃと送り出す送出方向Ｄとに正逆回転自在である。また、ベルト本体部２５は巻取リール４０の外周に巻回される。
【００４７】
巻取用スプリング４３は、巻取リール４０を巻取方向Ｃに付勢するコイル状の発条であり、その内側端部が巻取リール４０の端部に固定され、外側端部がハウジング４５に固定されている。
【００４８】
ロック手段４１は、巻取リール４０の回転をロックするものであり、第１ロック部材４７と第２ロック部材４８とを有している。第１ロック部材４７は、外周に複数の第１ロック爪４９を有する円盤状の部材であり、巻取リール４０の回転軸心方向における一端部に設けられており、巻取リール４０と一体に回転自在である。
【００４９】
また、第２ロック部材４８は、一端部に複数の第２ロック爪５０を有する部材であり、第２ロック爪５０が第１ロック爪４９に噛み合う噛合位置Ｅ（図９，図１０参照）と、第２ロック爪５０が第１ロック爪４９から離脱する離脱位置Ｆ（図１１参照）とに移動自在である。尚、第２ロック部材４８は、ばね５１等の付勢部材によって、噛合位置Ｅから離脱位置Ｆの方向５２（図１１参照）へ付勢されている。
【００５０】
操作部材４２は、前方斜め上向きと後方斜め下向き（前後方向の一例）へスライド自在であり、外部からの操作によってロック位置Ｇ（図９参照）とロック解除位置Ｈ（図１１参照）とに切り換え自在な操作レバー５５と、操作レバー５５に設けられた押圧体５６とを有している。第２ロック部材４８の他端部と押圧体５６の先端部とにはそれぞれ、傾斜した当接面５７，５８が形成されている。これら両当接面５７，５８は互いに摺動自在に面接触しており、圧縮コイルばね４４は操作レバー５５をロック解除位置Ｈ（図１１参照）からロック位置Ｇ（図９参照）の方向５９へ付勢している。尚、圧縮コイルばね４４の付勢力はばね５１の付勢力よりも大きく設定されている。
【００５１】
図９，図１０に示すように、操作レバー５５がロック位置Ｇに切り換えられると、押圧体５６の当接面５８が第２ロック部材４８の当接面５７を離脱位置Ｆ（図１１参照）から噛合位置Ｅの方向６０に押すため、第２ロック部材４８が噛合位置Ｅへ移動し、第２ロック爪５０が第１ロック爪４９に噛み合って、巻取リール４０の回転がロックされる。
【００５２】
また、図１１に示すように、操作レバー５５が圧縮コイルばね４４の付勢力に抗してロック解除位置Ｈに切り換えられると、押圧体５６の当接面５８が第２ロック部材４８の当接面５７から退避するため、第２ロック部材４８がばね５１等の付勢部材によって噛合位置Ｅ（図９参照）から離脱位置Ｆへ移動し、第２ロック爪５０が第１ロック爪４９から離脱して、巻取リール４０のロックが解除される。
【００５３】
尚、巻取リール４０とロック手段４１と押圧体５６と巻取用スプリング４３と圧縮コイルばね４４とばね５１等の付勢部材とはハウジング４５に内蔵されており、操作レバー５５がハウジング４５内から外部上方へ突出している。
【００５４】
図５〜図１１に示すように、背もたれ部１５は、背面側の下部に、保持ケース６３を有している。巻取り送出し装置３９は、ハウジング４５ごと、保持ケース６３内に収納されている。尚、巻取り送出し装置３９のハウジング４５は、ねじ等の固定部材６５によって、着脱自在に保持ケース６３に固定されている。また、ハウジング４５の下部と保持ケース６３の下部とには、ハウジング４５内に侵入した水Ｗを外部へ排出するための水抜き孔６４が形成されている。
【００５５】
また、図９に示すように、操作レバー５５のロック位置Ｇを前方斜め上とし、図１１に示すように、ロック解除位置Ｈを後方斜め下にし、操作レバー５５は、ロック位置Ｇから後方斜め下向きに操作されることによって、ロック解除位置Ｈに切り換えられる。
【００５６】
以下、上記構成における作用を説明する。
【００５７】
図１の実線に示すように、自転車１を停め、スタンド４を直立位置Ａまで回動して駐輪した状態で、運転者はチャイルドシート５に幼児７を乗せることができる。この際、運転者は、図４の実線で示すように取手部材２０を回動して開き、離脱ボタン３０を押して、図３の仮想線で示すように安全ベルト１１の雄型バックル２８ａ，２８ｂを雌型バックル２１から離脱させ、幼児７をチャイルドシート５の着座部１４に座らせて背もたれ部１５にもたれさせ、安全ベルト１１の雄型バックル２８ａ，２８ｂを雌型バックル２１に係合させる。
【００５８】
この際、図１１に示すように、運転者が、圧縮コイルばね４４の付勢力に抗して、操作レバー５５をロック位置Ｇ（図９参照）からロック解除位置Ｈに切り換えることにより、押圧体５６の当接面５８が第２ロック部材４８の当接面５７から退避するため、第２ロック部材４８がばね５１等の付勢部材によって噛合位置Ｅ（図９参照）から離脱位置Ｆへ移動し、第２ロック爪５０が第１ロック爪４９から離脱して、巻取リール４０のロックが解除され、巻取リール４０が回転自在となる。
【００５９】
これにより、安全ベルト１１のロックが解除され、運転者は、安全ベルト１１を巻取り送出し装置３９から引き出したり或いは安全ベルト１１を巻取り送出し装置３９で巻き取ることで、幼児７の体格に応じて安全ベルト１１の長さを容易に調節することができる。
【００６０】
その後、運転者が操作レバー５５から手を離すことにより、図９，図１０に示すように、操作レバー５５が圧縮コイルばね４４の付勢力によってロック解除位置Ｈ（図１１参照）からロック位置Ｇに切り換えられるため、押圧体５６の当接面５８が第２ロック部材４８の当接面５７を離脱位置Ｆから噛合位置Ｅの方向６０へ押し、第２ロック部材４８が噛合位置Ｅへ移動し、第２ロック爪５０が第１ロック爪４９に噛み合って、巻取リール４０の回転がロックされる。
【００６１】
これにより、安全ベルト１１が巻取り方向Ｃおよび送り出し方向Ｄにおいてロックされ、容易に安全ベルト１１を幼児７の身体に適正にフィットさせることができ、迅速に安全ベルト１１で幼児７を適正に拘束することができる。
【００６２】
上記のように、運転者が操作レバー５５をロック解除位置Ｈ（図１１参照）に切り換えて安全ベルト１１の長さを調節した後、運転者が操作レバー５５から手を離すことにより、操作レバー５５が圧縮コイルばね４４の付勢力によって自動的にロック位置Ｇ（図９，図１０参照）に切り換えられるため、運転者が操作レバー５５をロック位置Ｇに切り換える操作を忘れた場合でも、確実に、安全ベルト１１が巻取り方向Ｃおよび送り出し方向Ｄにおいてロックされるので、安全性が向上する。
【００６３】
また、上記のように、運転者が、圧縮コイルばね４４の付勢力に抗して、図１１に示すように、操作レバー５５をロック解除位置Ｈに切り換える際、操作レバー５５をロック位置Ｇ（図９参照）から後方斜め下向きに操作するため、図１に示すように、自転車１の車体２の後部に、後方斜め下向きの力６６が作用する。
【００６４】
この後方斜め下向きの力６６は後向きの力の成分と下向きの力の成分とを有するため、ロック解除位置Ｈへの切り換え操作時に、自転車１の車体２の後部が前方に押されることはなく、スタンド４が不用意に直立位置Ａから跳ね上げ位置Ｂに回動して自転車１が倒れるといった不具合を防止することができる。また、運転者（操作者）の体重を利用して操作レバー５５をロック位置Ｇから後方斜め下向きへ操作することができるため、操作レバー５５を容易にロック解除位置Ｈに切り換えることができる。
【００６５】
また、巻取り送出し装置３９は背もたれ部１５の背面側に設けられているため、チャイルドシート５に座った幼児７の手が背後にある巻取り送出し装置３９の操作レバー５５に届くことはなく、幼児７が操作レバー５５を誤操作するのを防止することができる。
【００６６】
上記のようにして、幼児７を安全ベルト１１でチャイルドシート５に拘束した後、運転者は、図４の仮想線で示すように取手部材２０を回動して閉じ、図１の仮想線で示すようにスタンド４を直立位置Ａから跳ね上げ位置Ｂに回動し、自転車１に乗って走行することができる。
【００６７】
尚、自転車１の走行中に急ブレーキを作動しても、図９，図１０に示すように、安全ベルト１１が巻取り方向Ｃおよび送り出し方向Ｄにおいてロックされているため、安全ベルト１１が巻取り送出し装置３９から送り出されることはなく、幼児７の身体がチャイルドシート５の前方へ倒れ込むのを確実に防止することができ、幼児７の安全性が確保される。
【００６８】
また、雨水等の水Ｗが操作レバー５５の取付部分等の隙間からハウジング４５内に侵入しても、図９，図１１に示すように、水抜き孔６４を通って外部へ排出されるため、ハウジング４５内に水Ｗが溜まるのを防ぐことができる。
【００６９】
上記実施の形態では、図９，図１１に示すように、操作部材４２は、ロック位置Ｇから後方斜め下向きに操作されることによってロック解除位置Ｈに切り換えられるが、斜め下向きではなく、ロック位置Ｇから後方のみに操作されることによってロック解除位置Ｈに切り換えられてもよい。この場合においても、ロック解除位置Ｈへの切り換え操作時に、自転車１の車体２の後部が前方に押されることはなく、スタンド４が不用意に直立位置Ａから跳ね上げ位置Ｂに回動して自転車１が倒れるといった不具合を防止することができる。
【００７０】
或いは、ロック位置Ｇから下方のみに操作されることによってロック解除位置Ｈに切り換えられてもよい。この場合においても、運転者の体重を利用して操作レバー５５をロック位置Ｇから下向きへ操作することができるため、操作レバー５５を容易にロック解除位置Ｈに切り換えることができる。
【００７１】
同様に、図９，図１１に示すように、操作部材４２は、ロック解除位置Ｈから前方斜め上向き移動することによってロック位置Ｇに切り換えられるが、斜め上向きではなく、ロック解除位置Ｈから前方のみの水平に移動することによってロック位置Ｇに切り換えられてもよい。
【産業上の利用可能性】
【００７２】
本発明における同乗者用椅子は主に電動自転車等に設けられるが、電動自転車以外の自転車に設けてもよい。
【符号の説明】
【００７３】
１      自転車
２      車体
４      スタンド
５      チャイルドシート（椅子）
１０    椅子本体
１１    安全ベルト
１４    着座部
１５    背もたれ部
２１    雌型バックル（第１係合部材）
２８ａ，２８ｂ    雄型バックル（第２係合部材）
３９    巻取り送出し装置
４０    巻取リール（巻取部材）
４１    ロック手段
４２    操作部材
４３    巻取用スプリング（第１付勢手段）
４４    圧縮コイルばね（第２付勢手段）
４５    ハウジング
６３    保持ケース
６４    水抜き孔
Ａ      直立位置
Ｂ      跳ね上げ位置
Ｃ      巻取方向
Ｄ      送出方向
Ｇ      ロック位置
Ｈ      ロック解除位置
【図１】
2018114817.tif 000003
【図２】
2018114817.tif 000004
【図３】
2018114817.tif 000005
【図４】
2018114817.tif 000006
【図５】
2018114817.tif 000007
【図６】
2018114817.tif 000008
【図７】
2018114817.tif 000009
【図８】
2018114817.tif 000010
【図９】
2018114817.tif 000011
【図１０】
2018114817.tif 000012
【図１１】
2018114817.tif 000013
【図１２】
2018114817.tif 000014